(57)【要約】【課題】タンク本体内の内圧の変化等によるタンク本体内の部品当接側とそれに対向する対向側との間の間隔の変化に影響されることなく、固定部品に対する弾性部材の押付荷重を一定化する。【解決手段】燃料タンク１０は、タンク本体１２内の下壁部１４上に当接されるリザーブカップ２２を弾性的に固定する固定装置２４を備える。固定装置２４が、タンク本体１２内の下壁部１４上に設けられた保持部４４と、リザーブカップ２２側に設けられたガイド筒部２６と、保持部４４とガイド筒部２６との間に介装されたコイルスプリング４０とを備える。タンク本体１２の下壁部１４上においてコイルスプリング４０の弾性力によりその下壁部１４上にリザーブカップ２２が押付けられる。【選択図】図１
2010083320.tif 000002
【特許請求の範囲】
【請求項１】
タンク本体内の所定位置に当接される固定部品を弾性的に固定する固定装置を備えた燃料タンクであって、
前記固定装置が、前記タンク本体内の部品当接側に設けられた保持部と、前記固定部品側に設けられた押圧部と、前記保持部と前記押圧部との間に介装された弾性部材とを備え、
前記タンク本体の部品当接側において前記弾性部材の弾性力により前記タンク本体の所定位置に前記固定部品が押付けられる構成とした
ことを特徴とする燃料タンク。
【請求項２】
請求項１に記載の燃料タンクであって、
前記弾性部材の弾性力が前記保持部と前記押圧部とを離反させる方向へ作用する構成としたことを特徴とする燃料タンク。
【請求項３】
請求項１に記載の燃料タンクであって、
前記弾性部材の弾性力が前記保持部と前記押圧部とを引き合わせる方向へ作用する構成としたことを特徴とする燃料タンク。
【請求項４】
請求項１〜３のいずれか１つに記載の燃料タンクであって、
前記タンク本体内の部品当接側に対向する対向側と前記固定装置との間に所定の空間部が設けられていることを特徴とする燃料タンク。
【請求項５】
請求項１〜４のいずれか１つに記載の燃料タンクであって、
前記保持部を構成する部材又は前記押圧部を構成する部材のいずれかの部材に前記弾性部材が一体に形成されていることを特徴とする燃料タンク。
【請求項６】
請求項１〜５のいずれか１つに記載の燃料タンクであって、
前記タンク本体内の部品当接側に、前記固定部品を位置決めする位置決め手段が設けられていることを特徴とする燃料タンク。
【請求項７】
請求項１〜６のいずれか１つに記載の燃料タンクであって、
前記固定装置に、前記固定部品を位置決めする位置決め手段が組込まれていることを特徴とする燃料タンク。
【発明の詳細な説明】
【技術分野】
【０００１】
本発明は、燃料タンクに関するもので、主として車両に搭載される車両用燃料タンクに関する。
【背景技術】
【０００２】
この種の燃料タンクの従来例としては、例えば特許文献１に記載されたものがある。なお、図１５は従来例に係る燃料タンクを示す断面図である。
図１５に示すように、燃料タンク２００は、上面に開口部２１１ａを有するタンク本体２１１と、開口部２１１ａを閉鎖する着脱自在な蓋部材２１０と、タンク本体２１１内に相互に対向するように設けられた第１支持面２１１ｂ及び第２支持面２１１ｃと、第１支持面２１１ｂに当接可能なリザーブカップ２１６を有する燃料ポンプモジュール２１４と、リザーブカップ２１６に接近・離反可能に接続されて第２支持面２１１ｃに当接可能な支持部材２１５と、支持部材２１５をリザーブカップ２１６から離反する方向に付勢するスプリング２３４とを備えている。スプリング２３４の弾発力により、燃料ポンプモジュール２１４のリザーブカップ２１６及び支持部材２１５がそれぞれ第１支持面２１１ｂ及び第２支持面２１１ｃに押付けられている。
【０００３】
【特許文献１】特開２００６−８００６号公報
【発明の開示】
【発明が解決しようとする課題】
【０００４】
前記従来例の燃料タンク２００によると、タンク本体２１１内の内圧の変化等により、タンク本体２１１の相互に対向する第１支持面２１１ｂと第２支持面２１１ｃとの間の間隔（高さ）が変化するにともなって、リザーブカップ２１６に対するスプリング２３４の弾発力いわゆる押付荷重が変動するという問題点があった。このことは、耐振動性、耐衝撃性、耐クリープ性、ＮＶ（振動、騒音）性等の信頼性を損なうことから好ましくない。
本発明が解決しようとする課題は、タンク本体内の内圧の変化等によるタンク本体内の部品当接側とそれに対向する対向側との間の間隔の変化に影響されることなく、固定部品に対する弾性部材の押付荷重を一定化することのできる燃料タンクを提供することにある。
【課題を解決するための手段】
【０００５】
前記課題は、特許請求の範囲の欄に記載された構成を要旨とする燃料タンクにより解決することができる。
すなわち、特許請求の範囲の請求項１に記載された燃料タンクによると、固定装置が、タンク本体内の部品当接側に設けられた保持部と、固定部品側に設けられた押圧部と、保持部と押圧部との間に介装された弾性部材とを備え、タンク本体の部品当接側において弾性部材の弾性力によりタンク本体の所定位置に固定部品が押付けられる構成としたものである。したがって、タンク本体内の内圧の変化等によるタンク本体内の部品当接側とそれに対向する対向側との間の間隔の変化に影響されることなく、固定部品に対する弾性部材の押付荷重を一定化することができる。
【０００６】
また、特許請求の範囲の請求項２に記載された燃料タンクによると、弾性部材の弾性力が保持部と押圧部とを離反させる方向へ作用する構成としたものである。したがって、保持部と押圧部とを離反する方向へ作用する弾性部材の弾性力により固定部品を押付けることができる。
【０００７】
また、特許請求の範囲の請求項３に記載された燃料タンクによると、弾性部材の弾性力が保持部と押圧部とを引き合わせる方向へ作用する構成としたものである。したがって、保持部と押圧部とを引き合わせる方向へ作用する弾性部材の弾性力により固定部品を押付けることができる。
【０００８】
また、特許請求の範囲の請求項４に記載された燃料タンクによると、タンク本体内の部品当接側に対向する対向側と固定装置との間に所定の空間部が設けられている。したがって、タンク本体内の部品当接側とそれに対向する対向側との間の間隔が異なるタンク本体であっても、所定の空間部が形成される限りにおいて同一の固定装置を適用することが可能となる。また、空間部は、配管、配線等に係る作業空間としても利用することができる。
【０００９】
また、特許請求の範囲の請求項５に記載された燃料タンクによると、保持部を構成する部材又は押圧部を構成する部材のいずれかの部材に弾性部材が一体に形成されている。したがって、部品点数及び組付工数を削減することができる。
【００１０】
また、特許請求の範囲の請求項６に記載された燃料タンクによると、タンク本体内の部品当接側に、固定部品を位置決めする位置決め手段が設けられている。したがって、位置決め手段によって、振動等による固定部品の位置ずれを防止することができる。
【００１１】
また、特許請求の範囲の請求項７に記載された燃料タンクによると、固定装置に、固定部品を位置決めする位置決め手段が組込まれている。したがって、位置決め手段によって、振動等による固定部品の位置ずれを防止することができる。
【発明を実施するための最良の形態】
【００１２】
以下に本発明を実施するための最良の形態を図面を用いて説明する。
【実施例】
【００１３】
［実施例１］
本発明の実施例１を説明する。本実施例では車両用燃料タンクについて例示する。なお、図１は燃料タンクを示す断面図である。
図１に示すように、燃料タンク１０は、例えば金属製のタンク本体１２を備えている。タンク本体１２は、上下方向に延びる筒状の周壁部１３と、その周壁部１３の下面開口を閉鎖する下壁部１４と、周壁部１３の上面開口を閉鎖しかつ下壁部１４に対して対向状をなす上壁部１５とを有している。上壁部１５には、例えば丸孔状の開口孔１６が形成されている。開口孔１６は、上壁部１５における任意の位置に設定することができる。また、上壁部１５には、開口孔１６を閉鎖する蓋部材１８がシール状態でかつ脱着可能に装着されている。蓋部材１８には、図示しないが、タンク本体１２内外を連通するフィードパイプ、電気配線に係るターミナルを有するコネクタ等が設けられている。なお、本実施例におけるタンク本体１２は、上下に二分割された下半体と上半体とを相互に溶接等により接合することによって構成されている。
【００１４】
前記タンク本体１２の底面上すなわち下壁部１４の上面の任意の位置には、例えば樹脂製で、上面を開口する有底筒状のリザーブカップ２２がその底面を面接触状に当接させた状態で配置されている。すなわち、タンク本体１２の下壁部１４の上面は、リザーブカップの当接面１４ａとなっている。また、リザーブカップ２２内には、図示しないが、モータ一体型の燃料ポンプ、燃料フィルタ、調圧弁等が収容されている。燃料ポンプは、リザーブカップ２２内の燃料を吸入フィルタを介して吸入しかつ昇圧した後、燃料フィルタへ送給する。また、燃料フィルタで濾過された燃料は、燃料ホース（図示しない）を介して前記蓋部材１８のフィードパイプに送給され、さらにフィードパイプから燃料供給配管（図示しない）を介してエンジンへ送給されるようになっている。また、燃料フィルタから吐出される燃料の圧力は調圧弁により所定圧に調整され、余剰となった燃料は調圧弁からリザーブカップ２２内に排出される。また、リザーブカップ２２の外側部には、タンク本体１２内に貯留された燃料の液面を検出する液面センサが装備されている。また、燃料ポンプ、液面センサに係るリード線（図示しない）は、蓋部材１８のコネクタのターミナルに接続されている。なお、モータ一体型の燃料ポンプ、燃料フィルタ、調圧弁、液面センサ等を総称して、「燃料供給系部品」という。また、燃料供給系部品とリザーブカップ２２とにより、燃料ポンプモジュール２０が構成されている。
【００１５】
次に、前記燃料タンク１０の下壁部１４の当接面１４ａ上に設けられ、前記リザーブカップ２２を弾性的に固定する固定装置２４について説明する。この固定装置２４は、リザーブカップ２２を間にして左右対称的に左右２組設けられている。なお、図２は固定装置を示す側面図、図３は固定装置を固定解除状態で示す側面図である。説明の都合上、左側の固定装置２４について説明し、右側の固定装置２４についての説明は省略する。
【００１６】
図２に示すように、前記リザーブカップ２２の左側面には、上下方向に貫通する中空円筒状のガイド筒部２６が形成されている。また、タンク本体１２の下壁部１４の当接面１４ａ上には、リザーブカップ２２の左側に隣接するスタッドボルト２８が垂直状に突出されている。また、タンク本体１２の下壁部１４の当接面１４ａ上には、スタッドボルト２８及びナット２９を介してブラケット３１が脱着可能に装着されている。ブラケット３１は、例えば金属製のブラケット本体３２及び頭付きガイドロッド３４とを備えている。ブラケット本体３２は、帯板材からなり、その上下両端部にはＺ字状をなすように折り曲げられた上片部３２ａ及び下片部３２ｂが形成されている。上片部３２ａには、ロッド挿通孔３６が形成されている。上片部３２ａには、ロッド挿通孔３６にその上方から頭付きガイドロッド３４が挿通された状態で、そのガイドロッド３４の頭部が溶接等により固着されている。また、下片部３２ｂには、スタッドボルト２８を挿通可能なボルト挿通孔３７が形成されている。
【００１７】
前記ブラケット本体３２の下片部３２ｂは、ボルト挿通孔３７をタンク本体１２の下壁部１４上のスタッドボルト２８に嵌合した後、該スタッドボルト２８にナット２９を締付けることによって脱着可能に装着されている。一方、前記ガイドロッド３４は、前記リザーブカップ２２のガイド筒部２６内にその上方から軸方向すなわち上下方向に摺動可能に挿通されている。また、ガイドロッド３４には、コイルスプリング４０が嵌装されている。コイルスプリング４０は、リザーブカップ２２のガイド筒部２６とブラケット本体３２の上片部３２ａとの対向面間に所定の圧縮状態で介装されている。これにより、コイルスプリング４０の弾性力が、ブラケット３１とガイド筒部２６とを離反する方向へ作用することにより、リザーブカップ２２が下壁部１４の当接面１４ａに弾性的に押付けられている。しかして、タンク本体１２内の部品当接側である下壁部１４に対向する対向側である上壁部１５と固定装置２４（詳しくは、上端部であり、頭付きガイドロッド３４の頭部が相当する。）との間には、所定の空間部４２が設けられている（図１参照）。
【００１８】
なお、リザーブカップ２２は、本明細書でいう「固定部品」に相当する。また、ガイド筒部２６は、本明細書でいう「押圧部」に相当する。また、スタッドボルト２８、ナット２９及びブラケット３１は、保持部４４を構成している。また、コイルスプリング４０は、本明細書でいう「弾性部材」に相当する。また、ガイド筒部２６と頭付きガイドロッド３４とは、下壁部１４の当接面１４ａに並行する方向（図２において左右方向及び紙面表裏方向）に関してリザーブカップ２２を位置決めするもので、本明細書でいう「固定装置に組込まれた位置決め手段」を構成している。
【００１９】
前記固定装置２４においてリザーブカップ２２を取り外したい場合には、タンク本体１２（図１参照）から蓋部材１８を取り外すことにより開口された開口孔１６を利用して行う。すなわち、図３に示すように、スタッドボルト２８に対してナット２９を緩めて取り外した後、スタッドボルト２８からブラケット３１のブラケット本体３２の下片部３２ｂを上方へ抜き取るとともに、リザーブカップ２２のガイド筒部２６からガイドロッド３４を抜き取る。このようにして、固定装置２４からリザーブカップ２２を取り外すことができる。また、上記の逆順によって、リザーブカップ２２を固定装置２４により弾性的に固定することができる（図１及び図２参照）。
【００２０】
前記燃料タンク１０によると、固定装置２４が、タンク本体１２内の部品当接側である下壁部１４上に設けられた保持部４４と、リザーブカップ２２側に設けられたガイド筒部２６と、保持部４４とガイド筒部２６との間に介装されたコイルスプリング４０とを備え、タンク本体１２の下壁部１４上においてコイルスプリング４０の弾性力によりタンク本体１２の所定位置にリザーブカップ２２が押付けられる構成としたものである。したがって、タンク本体１２内の内圧の変化等によるタンク本体１２内の下壁部１４上とそれに対向する対向側である上壁部１５との間の間隔の変化に影響されることなく、リザーブカップ２２に対するコイルスプリング４０の押付荷重を一定化することができる。このことは、耐振動性、耐衝撃性、耐クリープ性、ＮＶ（振動、騒音）性等の信頼性の向上に有効である。
【００２１】
また、コイルスプリング４０の弾性力がブラケット３１を有する保持部４４とガイド筒部２６とを離反させる方向へ作用する構成としたものである。したがって、保持部４４とガイド筒部２６とを離反する方向へ作用するコイルスプリング４０の弾性力によりリザーブカップ２２を押付けることができる。
【００２２】
また、タンク本体１２内の部品当接側である下壁部１４上に対向する対向側である上壁部１５と固定装置２４との間に所定の空間部４２が設けられている。したがって、タンク本体１２内の下壁部１４上と上壁部１５との間の間隔が異なるタンク本体１２であっても、所定の空間部４２が形成される限りにおいて同一の固定装置２４を適用することが可能となる。また、空間部４２は、配管、配線等に係る作業空間としても利用することができる。
【００２３】
また、固定装置２４に、リザーブカップ２２を位置決めする位置決め手段（ガイド筒部２６と頭付きガイドロッド３４とによる位置決め手段）が組込まれている。したがって、ガイド筒部２６と頭付きガイドロッド３４とによる位置決め手段によって、振動等によるリザーブカップ２２の位置ずれを防止することができる。
【００２４】
［実施例２］
本発明の実施例２を説明する。本実施例は、前記実施例１に変更を加えたものであるから、その変更部分について説明し、重複する説明は省略する。また、以降の実施例についても、その変更部分について説明し、重複する説明は省略する。なお、図４は固定装置を示す側面図、図５は固定装置を固定解除状態で示す側面図である。
図４に示すように、本実施例は、前記実施例１における保持部４４を保持部（符号、４６を付す）に変更したものである。
【００２５】
前記保持部４６を説明する。タンク本体１２の下壁部１４の当接面１４ａ上には、リザーブカップ２２の左側に隣接する支持ロッド４８が垂直状に突出されている。支持ロッド４８の上端部にはおねじ部４８ａが形成されている。支持ロッド４８は、前記リザーブカップ２２のガイド筒部２６内にその下方から軸方向すなわち上下方向に摺動可能に挿通されている。ガイド筒部２６上に突出する支持ロッド４８の先端部にコイルスプリング４０が嵌装された状態で、その支持ロッド４８のおねじ部４８ａにナット４９がねじ付けられている。コイルスプリング４０は、リザーブカップ２２のガイド筒部２６とナット４９との対向面間に所定の圧縮状態で介装されている。これにより、コイルスプリング４０の弾性力が、保持部４６とガイド筒部２６とを離反する方向へ作用することにより、リザーブカップ２２が下壁部１４の当接面１４ａに弾性的に押付けられている。なお、支持ロッド４８及びナット４９は、保持部４６を構成している。また、ガイド筒部２６と支持ロッド４８とは、下壁部１４の当接面１４ａに並行する方向（図４において左右方向及び紙面表裏方向）に関してリザーブカップ２２を位置決めするもので、本明細書でいう「固定装置に組込まれた位置決め手段」を構成している。
【００２６】
ところで、前記固定装置２４においてリザーブカップ２２を取り外したい場合には、図４に示すように、支持ロッド４８に対してナット４９を緩めて取り外した後、支持ロッド４８からコイルスプリング４０及びリザーブカップ２２のガイド筒部２６を抜き取る。このようにして、固定装置２４からリザーブカップ２２を取り外すことができる（図５参照）。また、上記の逆順によって、リザーブカップ２２を固定装置２４により弾性的に固定することができる（図４参照）。
【００２７】
本実施例によっても、前記実施例１と同様の作用・効果を得ることができる。
また、保持部４６が支持ロッド４８及びナット４９との２部品で構成されているため、前記実施例１の保持部４４と比べて、部品点数及び組付工数を削減することができる。
また、固定装置２４に、リザーブカップ２２を位置決めする位置決め手段（ガイド筒部２６と支持ロッド４８とによる位置決め手段）が組込まれている。したがって、ガイド筒部２６と支持ロッド４８とによる位置決め手段によって、振動等によるリザーブカップ２２の位置ずれを防止することができる。
【００２８】
［実施例３］
本発明の実施例３を説明する。本実施例は、前記実施例１に変更を加えたものである。なお、図６は固定装置を示す側面図、図７は固定装置を固定解除状態で示す側面図である。
図６に示すように、前記実施例１におけるブラケット３１（図２参照）をブラケット（符号、５１を付す）に変更したものである。ブラケット５１は、例えば金属製の帯板材からなり、その上下両端部にはＺ字状をなすように折り曲げられた上片部５１ａ及び下片部５１ｂが形成されている。上片部５１ａの先端部からは下方へ垂下状に延びるガイド片部５１ｃが形成されている。これにともない、前記実施例１におけるガイド筒部２６（図２参照）が、ガイド片部５１ｃを嵌合可能な中空角筒状のガイド筒部５２に変更されている。また、下片部５１ｂには、異径ナット５６の筒部５６ａ（後述する）を挿通可能な挿通孔５４が形成されている。
【００２９】
前記ブラケット５１の下片部５１ｂは、挿通孔５４をタンク本体１２の下壁部１４上のスタッドボルト２８に嵌合した後、該スタッドボルト２８に異径ナット５６を締付けることによって脱着可能に取り付けられている。異径ナット５６は、中空円筒状の筒部５６ａと、その筒部５６ａの上端部に膨出する六角状の頭部５６ｂとを有している。筒部５６ａは、下片部５１ｂの挿通孔５４に軸方向すなわち上下方向に摺動可能に挿通されかつタンク本体１２の下壁部１４の当接面１４ａ上に当接されている。また、異径ナット５６の筒部５６ａには、コイルスプリング５８が嵌装されている。コイルスプリング５８は、ブラケット５１の下片部５１ｂと異径ナット５６の頭部５６ｂとの対向面間に所定の圧縮状態で介装されている。
【００３０】
一方、ブラケット５１のガイド片部５１ｃは、前記リザーブカップ２２のガイド筒部５２内にその上方から軸方向すなわち上下方向に摺動可能に挿通されている。そして、ブラケット５１の上片部５１ａがガイド筒部５２の上面に前記コイルスプリング５８の弾性力により弾性的に当接されている。これにより、リザーブカップ２２が下壁部１４の当接面１４ａに弾性的に押付けられている。
【００３１】
なお、スタッドボルト２８及び異径ナット５６は、保持部６０を構成している。また、ブラケット５１及びガイド筒部５２は、押圧部６２を構成している。また、コイルスプリング５８は、本明細書でいう「弾性部材」に相当する。また、ブラケット５１のガイド片部５１ｃとガイド筒部５２とは、下壁部１４の当接面１４ａに並行する方向（図２において左右方向及び紙面表裏方向）に関してリザーブカップ２２を位置決めするもので、本明細書でいう「固定装置に組込まれた位置決め手段」を構成している。
【００３２】
前記固定装置２４においてリザーブカップ２２を取り外したい場合には、図７に示すように、スタッドボルト２８に対して異径ナット５６を緩めて取り外した後、コイルスプリング５８及びブラケット５１を取り外すとともに、リザーブカップ２２のガイド筒部５２からブラケット５１のガイド片部５１ｃを抜き取る。このようにして、固定装置２４からリザーブカップ２２を取り外すことができる。また、上記の逆順によって、リザーブカップ２２を固定装置２４により弾性的に固定することができる（図６参照）。
【００３３】
本実施例によっても、前記実施例１と同様の作用・効果を得ることができる。
また、固定装置２４に、リザーブカップ２２を位置決めする位置決め手段（ブラケット５１のガイド片部５１ｃとガイド筒部５２による位置決め手段）が組込まれている。したがって、ブラケット５１のガイド片部５１ｃとガイド筒部５２による位置決め手段によって、振動等によるリザーブカップ２２の位置ずれを防止することができる。
【００３４】
［実施例４］
本発明の実施例４を説明する。本実施例は、前記実施例３に変更を加えたものである。なお、図８は固定装置を示す側面図である。
図８に示すように、前記実施例３におけるスタッドボルト２８を及び異径ナット５６の筒部５６ａの軸方向（上下方向）の長さを延長するとともに、ブラケット５１のガイド片部５１ｃの上下方向の長さを短縮したものである。これにより、ブラケット５１をコイルスプリング５８の弾性に抗して上方へ引き上げることで、リザーブカップ２２のガイド筒部５２からブラケット５１のガイド片部５１ｃを抜き外せる構成としたものである（図８中、二点鎖線５１，５１ａ，５１ｂ，５１ｃ参照）。また、逆に、ブラケット５１をコイルスプリング５８の弾性力に抗して引き上げた状態でブラケット５１のガイド片部５１ｃの下方にリザーブカップ２２のガイド筒部２６を整合させた後、ブラケット５１に対する引き上げ力を開放することによりガイド片部５１ｃをガイド筒部５２内に挿通させることができる。
したがって、本実施例によると、異径ナット５６及びブラケット５１を取り外すことなく、リザーブカップ２２の脱着を行うことができる。
【００３５】
［実施例５］
本発明の実施例５を説明する。本実施例は、前記実施例１に変更を加えたものである。なお、図９は固定装置を示す側面図、図１０は固定装置の要部を示す斜視図である。
図９に示すように、本実施例は、前記実施例１におけるブラケット３１（図２参照）をブラケット（符号、６４を付す）に変更したものである。ブラケット６４は、例えば金属製の帯板材からなり、その上下両端部には平行状をなすように折り曲げられた上片部６４ａ及び下片部６４ｂが形成されている。下片部６４ｂには、スタッドボルト２８を挿通可能なボルト挿通孔６５が形成されている。下片部６４ｂは、ボルト挿通孔６５をタンク本体１２の下壁部１４上のスタッドボルト２８に嵌合した後、該スタッドボルト２８にナット２９を締付けることによって装着されている。
【００３６】
図１０に示すように、前記ブラケット６４の上片部６４ａの基部には、一対の軸受片６６が設けられている。両軸受片６６には、Ｌ型状をなす回動部材６８が支軸６９を介して回転可能に支持されている。回動部材６８は、上方へ延びる縦片部６８ａと、上片部６４ａと反対方向へ延びる横片部６８ｂとを有している。また、支軸６９には、トーションコイルスプリング７１が嵌装されており、一方の端末部７１ａがブラケット６４の上片部６４ａ上に係止されているとともに、他方の端末部７１ｂが回動部材６８の縦片部６８ａに係止されている。これにより、トーションコイルスプリング７１の弾性力は、回動部材６８をその横片部６８ｂが下方へ移動する方向へ付勢している。
【００３７】
前記回動部材６８の横片部６８ｂの下面には、ガイドロッド７３が垂直状に突出されている。これにともない、前記実施例１におけるガイド筒部２６（図２参照）が、回動部材６８の回動によりガイドロッド７３を嵌合可能な中空筒状のガイド筒部７５に変更されている。このガイドロッド７３は、ガイド筒部７５内にその上方から上下方向に摺動可能に挿通されている。そして、回動部材６８の横片部６８ｂがガイド筒部７５の上面に前記トーションコイルスプリング７１の弾性力により弾性的に当接されている。これにより、リザーブカップ２２が下壁部１４の当接面１４ａに弾性的に押付けられている。
【００３８】
なお、スタッドボルト２８、ナット２９、ブラケット６４及び支軸６９は、保持部７７を構成している。また、回動部材６８及びガイド筒部７５は、押圧部７９を構成している。また、トーションコイルスプリング７１は、本明細書でいう「弾性部材」に相当する。
また、回動部材６８のガイドロッド７３とガイド筒部７５とは、下壁部１４の当接面１４ａに並行する方向（図９において左右方向及び紙面表裏方向）に関してリザーブカップ２２を位置決めするもので、本明細書でいう「固定装置に組込まれた位置決め手段」を構成している。
【００３９】
前記固定装置２４においてリザーブカップ２２を取り外したい場合には、トーションコイルスプリング７１の弾性力に抗して回動部材６８を回動させることにより、リザーブカップ２２のガイド筒部７５からガイドロッド７３を抜き取る（図９中、二点鎖線６８，７３参照）。このようにして、固定装置２４からリザーブカップ２２を取り外すことができる。また、上記の逆順によって、リザーブカップ２２を固定装置２４により弾性的に固定することができる。
【００４０】
本実施例によっても、前記実施例１と同様の作用・効果を得ることができる。
また、本実施例によると、ナット２９及びブラケット６４を取り外すことなく、リザーブカップ２２の脱着を行うことができる。
また、固定装置２４に、リザーブカップ２２を位置決めする位置決め手段（回動部材６８のガイドロッド７３とガイド筒部７５による位置決め手段）が組込まれている。したがって、回動部材６８のガイドロッド７３とガイド筒部７５による位置決め手段によって、振動等によるリザーブカップ２２の位置ずれを防止することができる。
【００４１】
［実施例６］
本発明の実施例６を説明する。本実施例は、前記実施例１に変更を加えたものである。なお、図１１は固定装置を示す側面図である。
図１１に示すように、本実施例は、前記実施例１における保持部４４（図２参照）を保持部８１に変更するとともに、実施例１におけるコイルスプリング４０（図２参照）をコイルスプリング８４に変更したものである。すなわち、保持部８１は、タンク本体１２の下壁部１４の当接面１４ａ上に溶接等により固着された掛止部材８２により構成されている。掛止部材８２には、掛止孔８２ａが形成されている。
【００４２】
前記コイルスプリング８４の両端末部には、それぞれ上側のフック部８４ａと下側のフック部８４ｂが形成されている。下側のフック部８４ｂは、掛止部材８２の掛止孔８２ａに掛止されている。また、前記実施例１におけるガイド筒部２６（図２参照）が、コイルスプリング８４の上側のフック部８４ａを掛止可能な掛止筒部８６に変更されている。したがって、掛止筒部８６にコイルスプリング８４の上側のフック部８４ａが掛止されることにより、コイルスプリング８４の弾性力が、保持部８１の掛止部材８２と掛止筒部８６とを引き合わせる方向へ作用することにより、リザーブカップ２２が下壁部１４の当接面１４ａに弾性的に押付けられている。なお、コイルスプリング８４は、本明細書でいう「弾性部材」に相当する。また、掛止筒部８６は、本明細書でいう「押圧部」に相当する。
【００４３】
また、前記タンク本体１２の下壁部１４の当接面１４ａ上には、リザーブカップ２２の底部を上下方向に摺動可能に嵌合することにより、下壁部１４の当接面１４ａに並行する方向（図１１において左右方向及び紙面表裏方向）に関してリザーブカップ２２を位置決めする位置決め突起８８が突出されている。なお、位置決め突起８８は、リザーブカップ２２を位置決めするものであればよく、周方向に連続する壁状に形成されていてもよいし、周方向に断続的に配置された突起状に形成されていてもよい。なお、位置決め突起８８は、本明細書でいう「位置決め手段」に相当する。
【００４４】
前記固定装置２４においてリザーブカップ２２を取り外したい場合には、コイルスプリング８４の弾性力に抗して上側のフック部８４ａをリザーブカップ２２の掛止筒部８６から抜き取る（図１１中、二点鎖線８４ａ参照）。このようにして、固定装置２４からリザーブカップ２２を取り外すことができる。また、上記の逆順によって、リザーブカップ２２を固定装置２４により弾性的に固定することができる。
【００４５】
本実施例によっても、前記実施例１と同様の作用・効果を得ることができる。
また、本実施例によると、掛止部材８２を取り外すことなく、リザーブカップ２２の脱着を行うことができる。
また、コイルスプリング８４の弾性力が保持部８１の掛止部材８２と掛止筒部８６とを引き合わせる方向へ作用する構成としたものである。したがって、保持部８１と掛止筒部８６とを引き合わせる方向へ作用するコイルスプリング８４の弾性力によりリザーブカップ２２を押付けることができる。
【００４６】
また、タンク本体１２内の部品当接側である下壁部１４上に、リザーブカップ２２を位置決めする位置決め突起８８が設けられている。したがって、位置決め突起８８によって、振動等によるリザーブカップ２２の位置ずれを防止することができる。
【００４７】
［実施例７］
本発明の実施例７を説明する。本実施例は、前記実施例１に変更を加えたものである。なお、図１２は固定装置を示す側面図、図１３は同じく平面図、図１４は固定装置を固定解除状態で示す側面図である。
図１２に示すように、本実施例は、前記実施例１におけるブラケット３１（図２参照）をブラケット（符号、９１を付す）に変更したものである。ブラケット９１は、例えば金属製の帯板材からなり、その上下両端部にはＺ字状をなすように折り曲げられた上片部９１ａ及び下片部９１ｂが形成されている。下片部９１ｂには、スタッドボルト２８を挿通可能なボルト挿通孔９２が形成されている。下片部９１ｂは、ボルト挿通孔９２をタンク本体１２の下壁部１４上のスタッドボルト２８に嵌合した後、該スタッドボルト２８にナット２９を締付けることによって装着されている。
【００４８】
図１３に示すように、上片部９１ａの先端部は二又状に形成されている。その一方の先端部には、下方へ垂下状に突出するガイドロッド９４が形成されている（図１２参照）。また、他方の先端部には、Ｕ字状に折り曲げられた弾性変形部９５が一体に形成されている。これにともない、前記実施例１におけるガイド筒部２６（図２参照）が、ガイドロッド９４を嵌合可能な中空角筒状のガイド筒部９７に変更されている。また、リザーブカップ２２には、弾性変形部９５の屈曲部（下端部）と当接可能な押圧部９８が形成されている。
【００４９】
なお、スタッドボルト２８、ナット２９、ブラケット９１及びガイドロッド９４は、保持部９９を構成している。また、弾性変形部９５は、本明細書でいう「弾性部材」に相当する。また、ブラケット９１のガイドロッド９４とガイド筒部９７とは、下壁部１４の当接面１４ａに並行する方向（図２において左右方向及び紙面表裏方向）に関してリザーブカップ２２を位置決めするもので、本明細書でいう「固定装置に組込まれた位置決め手段」を構成している。
【００５０】
前記固定装置２４においてリザーブカップ２２を取り外したい場合には、図１４に示すように、スタッドボルト２８に対してナット２９を緩めて取り外した後、リザーブカップ２２のガイド筒部９７からガイドロッド９４を抜き取る。このようにして、固定装置２４からリザーブカップ２２を取り外すことができる。また、上記の逆順によって、リザーブカップ２２を固定装置２４により弾性的に固定することができる（図１２参照）。
【００５１】
本実施例によっても、前記実施例１と同様の作用・効果を得ることができる。
また、保持部９９を構成する部材であるブラケット９１に弾性変形部９５が一体に形成されている。したがって、部品点数及び組付工数を削減することができる。なお、弾性変形部は、押圧部を構成する部材に一体に形成することもできる。
また、固定装置２４に、リザーブカップ２２を位置決めする位置決め手段（ブラケット９１のガイドロッド９４とガイド筒部９７による位置決め手段）が組込まれている。したがって、ブラケット９１のガイドロッド９４とガイド筒部９７による位置決め手段によって、振動等によるリザーブカップ２２の位置ずれを防止することができる。
【００５２】
本発明は上記した実施例に限定されるものではなく、本発明の要旨を逸脱しない範囲における変更が可能である。例えば、タンク本体１２は、金属製に限らず、樹脂製であってもよい。また、前記実施例において、リザーブカップ２２に設けられた燃料フィルタ及び調圧弁の少なくとも一方の部品は、蓋部材１８側に配置することもできる。また、固定部品としては、リザーブカップ２２に限らず、タンク本体１２内の当接面に当接される部品であればその他の部品でもよい。また、前記実施例では、固定装置２４をリザーブカップ２２を間にして左右対称的に２組設けたが、その配置は適宜変更することができる。また、固定装置２４は、２組に限らず、適宜増減することができる。また、前記実施例では、タンク本体１２の下壁部１４上に固定部品の当接面を設けたが、周壁部１３の内側面に固定部品の当接面を設定してもよい。また、スタッドボルト２８、ガイドロッド７３、掛止部材８２は、タンク本体１２の下壁部１４上に直接的に設けたが、別部材を介して間接的に設けることもできる。また、弾性部材は、コイルスプリング４０，５０、５８、トーションコイルスプリング７１に限らず、その他のスプリング、ゴム状弾性体等のように、弾性を有する部材に代えることができる。また、位置決め手段は、必要に応じて設けられるものであり、省略することもできる。また、位置決め手段は、タンク本体１２内の当接面に対するリザーブカップ２２の位置ずれを防止する構成であればよい。また、前記実施例におけるナット２９、４９及び異径ナット５６は、Ｅリング及びスナップピン等でも代用可能である。
【図面の簡単な説明】
【００５３】
【図１】実施例１に係る燃料タンクを示す断面図である。
【図２】固定装置を示す側面図である。
【図３】固定装置を固定解除状態で示す側面図である。
【図４】実施例２に係る固定装置を示す側面図である。
【図５】固定装置を固定解除状態で示す側面図である。
【図６】実施例３に係る固定装置を示す側面図である。
【図７】固定装置を固定解除状態で示す側面図である。
【図８】実施例４に係る固定装置を示す側面図である。
【図９】実施例５に係る固定装置を示す側面図である。
【図１０】固定装置の要部を示す斜視図である。
【図１１】実施例６に係る固定装置を示す側面図である。
【図１２】実施例７に係る固定装置を示す側面図である。
【図１３】固定装置を示す平面図である。
【図１４】固定装置を固定解除状態で示す側面図である。
【図１５】従来例に係る燃料タンクを示す側断面図である。
【符号の説明】
【００５４】
１０  燃料タンク
１２  タンク本体
１４  下壁部
２２  リザーブカップ（固定部品）
２４  固定装置
２６  ガイド筒部（押圧部）
４０  コイルスプリング（弾性部材）
４２  空間部
４４  保持部
４６  保持部
５８  コイルスプリング（弾性部材）
６０  保持部
６２  押圧部
７１  トーションスプリング（弾性部材）
７７  保持部
８１  保持部
８４  コイルスプリング（弾性部材）
８６  掛止筒部（押圧部）
８８  位置決め突起（位置決め手段）
９５  弾性変形部（弾性部材）
９８  押圧部
９９  保持部
【図１】
2010083320.tif 000003
【図２】
2010083320.tif 000004
【図３】
2010083320.tif 000005
【図４】
2010083320.tif 000006
【図５】
2010083320.tif 000007
【図６】
2010083320.tif 000008
【図７】
2010083320.tif 000009
【図８】
2010083320.tif 000010
【図９】
2010083320.tif 000011
【図１０】
2010083320.tif 000012
【図１１】
2010083320.tif 000013
【図１２】
2010083320.tif 000014
【図１３】
2010083320.tif 000015
【図１４】
2010083320.tif 000016
【図１５】
2010083320.tif 000017